(57)【要約】【課題】押え部と固定部を用いてバッテリーをバッテリーキャリアに固定する際の工数を削減することができるバッテリー固定構造を提供する。【解決手段】バッテリー固定構造１は、バッテリー２が設置される設置部１１と、バッテリー２を設置部１１に固定するためにバッテリー２に設置される押え部１３と、設置部１１と押え部１３との間に設けられ、設置部１１と押え部１３との間にバッテリー２を固定する固定部１２と、を有し、押え部１３は、バッテリー２に接する接触部１３１と、固定部１２を押え部１３に締結するための凸形状の締結部１３２との間に、接触部１３１と締結部１３２とを接続する溶接部を有しない。【選択図】図１
2018014282.tif 000002
【特許請求の範囲】
【請求項１】
バッテリーが設置される設置部と、
前記バッテリーを前記設置部に固定するために前記バッテリーに設置される押え部と、
前記設置部と前記押え部との間に設けられ、前記設置部と前記押え部との間に前記バッテリーを固定する固定部と、
を有し、
前記押え部は、前記バッテリーに接する接触部と、前記固定部を前記押え部に締結するための凸形状の締結部との間に、前記接触部と前記締結部とを接続する溶接部を有しないことを特徴とするバッテリー固定構造。
【請求項２】
前記押え部は、前記バッテリーにおける前記設置部に接する面と反対側の面の一部に接するように前記バッテリーに設置されることを特徴とする、
請求項１に記載のバッテリー固定構造。
【請求項３】
前記設置部には、複数の前記バッテリーが設置され、
前記押え部は、複数の前記バッテリーの幅方向の長さを合わせた長さ以上の長さを有することを特徴とする、
請求項１又は２に記載のバッテリー固定構造。
【請求項４】
前記締結部は、前記固定部が挿入される穴を有することを特徴とする、
請求項１から３のいずれか一項に記載のバッテリー固定構造。
【請求項５】
前記締結部は、複数の前記穴を有することを特徴とする、
請求項４に記載のバッテリー固定構造。
【請求項６】
前記固定部は、直線部と湾曲部と、
を有し、
前記設置部は、
前記固定部の前記直線部に直交する方向の最大の長さよりも大きな長さを有する長穴と、
前記長穴に前記固定部が挿入された状態で、前記湾曲部の先端が、前記長穴に前記固定部が挿入された向きとは逆の向きから挿入される小穴とを有することを特徴とする、
請求項１から５のいずれか一項に記載のバッテリー固定構造。
【請求項７】
前記長穴と、前記小穴は、それぞれ複数設けられていることを特徴とする、
請求項６に記載のバッテリー固定構造。
【請求項８】
バッテリーを固定するバッテリー固定構造の設置部にバッテリーを設置する工程と、
金属部材を成形することにより凸形状の締結部を形成した押え部を製造する工程と、
前記バッテリーに前記押え部を載置する工程と、
前記締結部に形成された穴に、前記設置部と前記押え部との間に前記バッテリーを固定する固定部を挿入する工程と、
を有することを特徴とするバッテリーユニットの製造方法。
【発明の詳細な説明】
【技術分野】
【０００１】
本発明は、車両に搭載されるバッテリーを固定するためのバッテリー固定構造及びバッテリーユニットの製造方法に関するものである。
【背景技術】
【０００２】
バッテリーをバッテリーキャリアに固定する際には、バッテリーに設置する押え部と、バッテリーキャリアと押え部との間を固定する固定部が用いられている。特許文献１には、複数のバッテリーをバッテリー台に固定する構造が開示されている。バッテリー台に２個の挿通孔が設けられており、それらの挿通孔にＪボルトの一端が挿入される。そして、Ｊボルトの他端がバッテリーに設置された挟持ブラケットに形成された穴に挿入されて、ナットが締め付けられることにより、バッテリー台と挟持ブラケットとの間にバッテリーが固定されている。
【先行技術文献】
【特許文献】
【０００３】
【特許文献１】国際公開第２０１１／１３６１０７号
【発明の概要】
【発明が解決しようとする課題】
【０００４】
しかし、押え部を構成するバッテリーと接する接触部と、接触部の中心に位置して固定部が挿入される穴が形成された締結部とが別部材から形成されているため、複数のバッテリーをバッテリーキャリアに固定する作業の工数が多いという問題が生じていた。
【０００５】
そこで、本発明はこれらの点に鑑みてなされたものであり、押え部と固定部を用いてバッテリーをバッテリーキャリアに固定する際の工数を削減することができるバッテリー固定構造を提供することを目的とする。
【課題を解決するための手段】
【０００６】
本発明の第１の態様においては、バッテリーが設置される設置部と、前記バッテリーを前記設置部に固定するために前記バッテリーに設置される押え部と、前記設置部と前記押え部との間に設けられ、前記設置部と前記押え部との間に前記バッテリーを固定する固定部と、を有し、前記押え部は、前記バッテリーに接する接触部と、前記固定部を前記押え部に締結するための凸形状の締結部との間に、前記接触部と前記締結部とを接続する溶接部を有しないことを特徴とするバッテリー固定構造を提供する。
【０００７】
また、前記押え部は、前記バッテリーにおける前記設置部に接する面と反対側の面の一部に接するように前記バッテリーに設置されてもよい。また、前記設置部には、複数の前記バッテリーが設置され、前記押え部は、複数の前記バッテリーの幅方向の長さを合わせた長さ以上の長さを有していてもよい。また、前記締結部は、前記固定部が挿入される穴を有していてもよい。また、前記締結部は、複数の前記穴を有していてもよい。
【０００８】
前記固定部は、直線部と湾曲部と、を有し、前記設置部は、前記固定部の前記直線部に直交する方向の最大の長さよりも大きな長さを有する長穴と、前記長穴に前記固定部が挿入された状態で、前記湾曲部の先端が、前記長穴に前記固定部が挿入された向きとは逆の向きから挿入される小穴とを有していてもよい。また、前記長穴と、前記小穴は、それぞれ複数設けられていてもよい。
【０００９】
本発明の第２の態様においては、バッテリーを固定するバッテリー固定構造の設置部にバッテリーを設置する工程と、金属部材を成形することにより凸形状の締結部を形成した押え部を製造する工程と、前記バッテリーに前記押え部を載置する工程と、前記締結部に形成された穴に、前記設置部と前記押え部との間に前記バッテリーを固定する固定部を挿入する工程と、を有することを特徴とするバッテリーユニットの製造方法を提供する。
【発明の効果】
【００１０】
本発明によれば、押え部と固定部を用いてバッテリーをバッテリーキャリアに固定する際の工数を削減することができるという効果を奏する。
【図面の簡単な説明】
【００１１】
【図１】本実施形態に係るバッテリー固定構造１を示す。
【図２】本実施形態に係るバッテリー固定構造１を構成する部材が分離された状態を示す。
【図３】本実施形態に係るバッテリー固定構造１における固定部１２を設置部１１に設置する手順を示す。
【図４】押え部１３の変形例を示す。
【図５】底板１１１及び押え部１３の変形例を示す。
【発明を実施するための形態】
【００１２】
図１は、本実施形態に係るバッテリー固定構造１を示す図である。図２は、本実施形態に係るバッテリー固定構造１を構成する部材が分離された状態を示す図である。
バッテリー固定構造１は、複数のバッテリー２を設置部１１に固定するための構造である。バッテリー２は、略直方体形状を有する車両用のバッテリーである。バッテリー２が設置部１１に固定されることにより、商用車等の車両に搭載されるバッテリーユニットが完成する。バッテリー固定構造１は、設置部１１、固定部１２、押え部１３、及び締結部品１４を有する。
【００１３】
設置部１１は、例えば、金属製のバッテリーキャリアであり、複数のバッテリー２を設置するための部材である。設置部１１は、底板１１１、左側板１１２、右側板１１３、背面板１１４、前面板１１５、及び後面板１１６を有する。底板１１１は、金属製で長方形状を有する。底板１１１は、バッテリー２の下面が接する面を有する。底板１１１は、複数の長方形状の穴を有する。
【００１４】
左側板１１２と右側板１１３は、金属製で長方形状を有する。左側板１１２と右側板１１３は、それぞれ底板１１１の左右方向（図１のＸ方向）の端部から底板１１１と直交して上向き（図１のＺ方向）に延伸して形成されている。左側板１１２と右側板１１３は、バッテリー２が底板１１１上に設置されたときに、バッテリー２の側面が接する面を有する。左側板１１２と右側板１１３は、複数の長方形状の穴を有する。
【００１５】
背面板１１４は、金属製で凹形状を有する。背面板１１４は、底板１１１の前後方向（図１のＹ方向）における後端から底板１１１と直交して上向きに延伸して形成されている。背面板１１４は、左側板１１２及び右側板１１３の前後方向（図１のＹ方向）における後端に左側板１１２及び右側板１１３と直交して形成されている。背面板１１４は、底板１１１にバッテリー２が設置されたときに、バッテリー２の背面の一部が接する面を有する。
【００１６】
前面板１１５と後面板１１６は、金属製で長方形状を有する。前面板１１５と後面板１１６は、それぞれ底板１１１の前後方向における両方の端部から底板１１１と直交して下向きに延伸して形成されている。バッテリー固定構造１は、前面板１１５と後面板１１６とを有することにより、底板１１１を前面板１１５と後面板１１６の下端が接する設置面から所定距離離すことができる。
【００１７】
底板１１１は、長穴１１１１と小穴１１１２とを有する。長穴１１１１は、固定部１２が挿入される穴であり、底板１１１の前後方向に延伸する直線部を有する長穴形状である。長穴１１１１の短手方向における長さは、固定部１２の径よりもやや大きな長さを有する。長穴１１１１は、底板１１１の前後方向において、固定部１２の直線部１２１に直交する方向の最大の長さよりも大きな長さを有する。長穴１１１１は、底板１１１の左右方向における中心で、かつ底板１１１の前後方向における前端から所定距離離れた前端付近の位置に形成されている。
【００１８】
小穴１１１２は、固定部１２が挿入される穴であり、固定部１２の直径よりもやや大きな径を有する円形状である。小穴１１１２は、長穴１１１１の長手方向における後端から所定距離離れた位置に形成されている。長穴１１１１と小穴１１１２は、設置部１１に複数のバッテリー２が設置された状態で底板１１１を上から見たときに、複数のバッテリー２の間に位置するように形成されている。
【００１９】
固定部１２は、例えば、金属製のＪ型形状を有するボルトである。固定部１２は、直線部１２１と湾曲部１２２とを有する。直線部１２１は、金属製で一定の径を有する直線の部分である。直線部１２１の一方の端部には、溝１２１１が形成されている。溝１２１１は、ねじ溝であり、直線部１２１に直線部１２１の先端から所定距離形成されている。溝１２１１には、締結部品１４が締結されうる。
【００２０】
湾曲部１２２は、金属製で一定の径を有する半円弧状の部分である。湾曲部１２２は、直線部１２１における溝１２１１が形成されている端部と反対側の端部に形成されている。固定部１２は、設置部１１と押え部１３との間に設けられ、設置部１１と押え部１３との間にバッテリー２を固定するために用いられる。固定部１２を長穴１１１１と小穴１１１２に挿入して、設置部１１に設置する方法については後述する。
【００２１】
押え部１３は、バッテリー２に設置され、バッテリー２を設置部１１に対して固定するための部材である。押え部１３は、バッテリー２における設置部１１の底板１１１に接する面と反対側の面の一部に接するようにバッテリー２に設置されている。押え部１３は、接触部１３１と締結部１３２とを有する。接触部１３１は、金属製であり、断面がＬ字形状を有する。このように押え部１３を断面がＬ字形状とすることで、複数のバッテリー２をより強固に設置部１１に設置することができる。
【００２２】
接触部１３１は、上面板１３１１と側面板１３１２とを有する。上面板１３１１は、金属製で長方形状であり、バッテリー２の上面の一部と接する面を有する。側面板１３１２は、金属製で長方形状であり、バッテリー２の前後方向（図１のＹ方向）における前方側の側面の上端部付近の一部と接する面を有する。側面板１３１２は、上面板１３１１の前後方向（図１のＹ方向）における前端から上面板１３１１に直交して下向きに延伸するように形成されている。
【００２３】
締結部１３２は、固定部１２を押え部１３に締結するための金属製で凸形状の部材である。締結部１３２は、押え部１３の長手方向における中心位置付近に形成されている。締結部１３２の上面は略正方形状の平面である。締結部１３２の上面は、締結部１３２の上面の左右方向（図１のＸ方向）における両端部に上面と直交して形成された金属製の板により接触部１３１と接続されている。締結部１３２の上面の中心には、穴１３２１が形成されている。穴１３２１は、固定部１２の径よりもやや大きな径を有する。穴１３２１は、固定部１２が挿入される穴である。締結部１３２の上面は、上面板１３１１に対して所定の角度、傾斜して形成されている。
【００２４】
押え部１３は、設置部１１に設置された複数のバッテリー２の幅方向（図１のＸ方向）の長さを合わせた長さ以上の長さを有する。押え部１３の長さをこのような長さとすることで、押え部１３が複数のバッテリー２に接する領域を大きくすることができるため、バッテリー２をより強固に設置部１１に設置することができる。接触部１３１と締結部１３２との間には、接触部１３１と締結部１３２とを接続するための溶接部が設けられていない。接触部１３１と締結部１３２とは、１枚の金属板から一体に成形されている。
【００２５】
締結部品１４は、固定部１２に締結される部品である。締結部品１４は、例えば金属製のナットである。締結部品１４は、固定部１２の直線部１２１と湾曲部１２２とが長穴１１１１と小穴１１１２に挿入され、かつ、固定部１２の直線部１２１の先端が押え部１３に設けられた穴１３２１に挿入されている状態で、直線部１２１に形成された溝１２１１に締結されている。
【００２６】
図３は、本実施形態に係るバッテリー固定構造１における固定部１２を設置部１１に設置する手順を示す図である。図３を用いて、固定部１２を長穴１１１１と小穴１１１２とに挿入することにより、固定部１２を設置部１１に設置する手順を説明する。
まず、固定部１２の湾曲部１２２を、長穴１１１１に挿入する。次に、湾曲部１２２が底板１１１よりも下方に位置する状態で、固定部１２を長穴１１１１に沿って長穴１１１１の小穴１１１２側の端部に向かって移動させる。
【００２７】
そして、固定部１２を湾曲部１２２の先端が小穴１１１２の下方に位置するまで移動させたら、固定部１２を上方、すなわち、長穴１１１１に固定部１２を挿入した向きとは逆の向きに移動させて、湾曲部１２２の先端を小穴１１１２に挿入させた状態とする。このように、底板１１１に長穴１１１１と小穴１１１２とが形成されていることにより、固定部１２を設置部１１に対して設置部１１の上方から設置することができるので、作業効率を高めることができる。
【００２８】
［変形例］
図４は、押え部１３の変形例を示す図である。図４（ａ）は、押え部１３ａを示す図である。図４（ｂ）は、押え部１３ｂを示す図である。
図１〜図３に示す例においては、締結部１３２に形成された穴１３２１は１個であったが、穴の数は任意である。押え部１３ａは、押え部１３と同様に、締結部１３２ａを有する。締結部１３２ａは、穴１３２１ａ〜１３２１ｃを有する。穴１３２１ａ〜穴１３２１ｃは、穴１３２１と同様に固定部１２の径よりもやや大きな径を有する。穴１３２１ａ〜穴１３２１ｃは、接触部１３１の長手方向に直交する方向において、直線状に配置されて形成されている。
【００２９】
また、本実施形態に係るバッテリー固定構造１における穴１３２１の形状は、固定部１２の径よりもやや大きな径を有する円形状であったが、これだけに限らず、穴の形状は任意である。図４（ｂ）に示す押え部１３ｂは、押え部１３と同様に、締結部１３２ｂを有する。締結部１３２ｂは、穴１３２１ｄを有する。穴１３２１ｄは、接触部１３１の長手方向と直交する方向における直線部を有する長穴形状を有している。穴１３２１ｄの接触部１３１の長手方向における長さは、固定部１２の径よりもやや大きな長さを有する。
【００３０】
このように、締結部に複数の穴を形成したり長穴を形成したりする構造とすることで、設置部１１に本実施形態におけるバッテリー２とは異なる大きさのバッテリーが設置され、固定部１２が異なる角度で設置された場合でも、押え部を用いてバッテリー２を設置部１１に固定することができる。
【００３１】
図５は、底板１１１及び押え部１３の変形例を示す図である。図５（ａ）は、底板１１１ａを示す図である。図５（ｂ）は、押え部１３ｃを示す図である。図５（ｃ）は、押え部１３ｄを示す図である。
図１〜図３に示す例においては、底板１１１に形成された固定部１２を挿入するための穴は、１個の長穴１１１１と１個の小穴１１１２とからなる１組の穴だけであったが、穴の数は任意である。底板１１１ａは、底板１１１と同様に、金属製で長方形状を有する。底板１１１ａは、複数の長方形状の穴を有する。
【００３２】
例えば、図５（ａ）に示されているように、底板１１１ａは、６個の長穴１１１１ａ〜１１１１ｆ、及び６個の小穴１１１２ａ〜１１１２ｆを有することで、底板１１１ａの前後方向（図１及び図５のＹ方向）に２組、底板１１１ａの左右方向（図１及び図５のＸ方向）に３組の計６組の長穴と小穴とを有するようにしてもよい。
【００３３】
長穴１１１１ａは、底板１１１ａの左右方向（図１及び図５のＸ方向）における左側の端部から所定距離離れた左側の端部付近に形成されている。長穴１１１１ｃは、底板１１１ａの左右方向における中心に形成されている。長穴１１１１ｅは、底板１１１ａの左右方向における右側の端部から所定距離離れた右側の端部付近に形成されている。
【００３４】
長穴１１１１ａ、小穴１１１２ａ、長穴１１１１ｂ、及び小穴１１１２ｂは、底板１１１ａの前後方向（図１及び図５のＹ方向）において直線状に配置されて形成されている。同様にして、長穴１１１１ｃ、小穴１１１２ｃ、長穴１１１１ｄ、及び小穴１１１２ｄは、底板１１１ａの前後方向において直線状に配置されて形成されている。長穴１１１１ｅ、小穴１１１２ｅ、長穴１１１１ｆ、及び小穴１１１２ｆは、底板１１１ａの前後方向において直線状に配置されて形成されている。
【００３５】
長穴１１１１ａ、１１１１ｃ、及び１１１１ｅは、底板１１１ａの左右方向（図１及び図５のＸ方向）において直線状に配置されて形成されている。小穴１１１２ａ、１１１２ｃ、及び１１１２ｅは、底板１１１ａの左右方向において直線状に配置されて形成されている。長穴１１１１ｂ、１１１１ｄ、１１１１ｆは、底板１１１ａの左右方向において直線状に配置されて形成されている。小穴１１１２ｂ、１１１２ｄ、及び１１１２ｆは、底板１１１ａの左右方向において直線状に配置されて形成されている。
【００３６】
また、底板１１１ａがこのように複数の長穴と小穴とを有する場合、押え部１３は底板１１１ａに対応した構造を有する。例えば、図５（ｂ）に示されているように、押え部１３ｃは、接触部１３１ａ及び締結部１３２ｃ〜１３２ｅを有する。接触部１３１ａは、接触部１３１と同様に、断面がＬ字形状を有する金属製の部材である。接触部１３１ａは、上面板１３１１ａと側面板１３１２ａとを有する。上面板１３１１ａは、上面板１３１１と同様に金属製で長方形状を有する。側面板１３１２ａは、側面板１３１２と同様に金属製で長方形状を有する。
【００３７】
締結部１３２ｃ〜１３２ｅは、締結部１３２と同様に金属製の部材であり、接触部１３１ａの長手方向において直線状に３箇所に配置されて形成されている。締結部１３２ｃ〜１３２ｅは、それぞれ穴１３２１ｅ〜１３２１ｇを有する。穴１３２１ｅ〜１３２１ｇは、穴１３２１と同様に固定部１２の径よりもやや大きな円形状である。
【００３８】
穴１３２１ｅと穴１３２１ｆとの間隔は、長穴１１１１ａと長穴１１１１ｃとの間隔と同じである。穴１３２１ｆと穴１３２１ｇとの間隔は、長穴１１１１ｃと長穴１１１１ｅとの間隔と同じである。
【００３９】
図５（ｃ）に示す押え部１３ｄは、接触部１３１ｂと締結部１３２ｆとを有する。接触部１３１ｂは、接触部１３１と同様に、断面がＬ字形状を有する金属製の部材である。接触部１３１ｂは、上面板１３１１ｂと側面板１３１２ｂとを有する。上面板１３１１ｂは、上面板１３１１と同様に金属製で長方形状を有する。側面板１３１２ｂは、側面板１３１２と同様に金属製で長方形状を有する。
【００４０】
締結部１３２ｆは、締結部１３２と同様に金属製の部材であり、接触部１３１ｂの長手方向において締結部１３２よりも大きな長さを有する。締結部１３２ｆの長手方向における長さは、長穴１１１１ａと長穴１１１１ｅとの間の長さよりも大きい。締結部１３２ｆは、穴１３２１ｈを有する。穴１３２１ｈは、締結部１３２ｆの長手方向において直線部を有する長穴形状の穴である。穴１３２１ｈの長手方向における長さは、長穴１１１１ａと長穴１１１１ｅとの間の長さよりも大きい。
【００４１】
このように底板１１１に複数の長穴と小穴とが形成されており、かつ、押え部１３に形成されている穴を複数にしたり、押え部１３に形成されている穴の形状を変えたりした構造とすることで、設置部１１に本実施形態におけるバッテリー２とは異なる大きさのバッテリーが設置され、固定部１２が異なる角度で設置された場合でも、押え部を用いてバッテリー２を設置部１１に固定することができる。本実施形態において、押え部１３は、金属製であるとしたが、これに限定されず、材質は任意である。例えば、押え部１３は、樹脂や複合材料で一体成形されていてもよい。
【００４２】
［本実施形態に係るバッテリーユニットの製造方法］
本実施形態に係るバッテリーユニットの製造方法について説明する。
まず、バッテリー２を固定するバッテリー固定構造１の設置部１１にバッテリー２を設置する。次に、金属部材を成形することにより凸形状の締結部１３２を形成した押え部１３を製造する。そして、バッテリー２に押え部１３を載置する。その後、締結部１３２に形成された穴１３２１に、設置部１１と押え部１３との間にバッテリー２を固定する固定部１２を挿入する。このようにして、車両に搭載されるバッテリー２を含むユニットを製造することができる。
【００４３】
［本実施形態に係るバッテリー固定構造１による効果］
本実施形態に係るバッテリー固定構造１は、バッテリー２が設置される設置部１１と、バッテリー２を設置部１１に固定するためにバッテリー２に設置される押え部１３と、設置部１１と押え部１３との間に設けられ、設置部１１と押え部１３との間にバッテリー２を固定する固定部１２と、を有し、押え部１３は、バッテリー２に接する接触部１３１と、固定部１２を押え部１３に締結するための凸形状の締結部１３２との間に、接触部１３１と締結部１３２とを接続する溶接部を有しない。
【００４４】
本実施形態に係るバッテリー固定構造１は、このような構成を有するので、押え部１３における接触部１３１と締結部１３２とは、溶接によって接合されておらず、接触部１３１と締結部１３２とは、１枚の板から一体に成形されている。したがって、本実施形態に係るバッテリー固定構造１は、押え部１３と固定部１２を用いてバッテリー２を設置部１１に固定する際の工数を削減することができる。
【００４５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４６】
１・・・バッテリー固定構造
１１・・・設置部
１１１、１１１ａ・・・底板
１１１１、１１１１ａ、１１１１ｂ、１１１１ｃ、１１１１ｄ、１１１１ｅ、１１１１ｆ・・・長穴
１１１２、１１１２ａ、１１１２ｂ、１１１２ｃ、１１１２ｄ、１１１２ｅ、１１１２ｆ・・・小穴
１１２・・・左側板
１１３・・・右側板
１１４・・・背面板
１１５・・・前面板
１１６・・・後面板
１２・・・固定部
１２１・・・直線部
１２１１・・・溝
１２２・・・湾曲部
１３、１３ａ、１３ｂ、１３ｃ、１３ｄ・・・押え部
１３１、１３１ａ、１３１ｂ・・・接触部
１３１１、１３１１ａ、１３１１ｂ・・・上面板
１３１２、１３１２ａ、１３１２ｂ・・・側面板
１３２、１３２ａ、１３２ｂ、１３２ｃ、１３２ｄ、１３２ｅ、１３２ｆ・・・締結部
１３２１、１３２１ａ、１３２１ｂ、１３２１ｃ、１３２１ｄ、１３２１ｅ、１３２１ｆ、１３２１ｇ、１３２１ｈ・・・穴
１４・・・締結部品
２・・・バッテリー
【図１】
2018014282.tif 000003
【図２】
2018014282.tif 000004
【図３】
2018014282.tif 000005
【図４】
2018014282.tif 000006
【図５】
2018014282.tif 000007